(57)【要約】      （修正有）【課題】無振動、無騒音、無排土で施工ができ、栗石・砕石による透水層があっても確実に掘削でき、しかも、ハンディタイプを原則とするので、装置が大掛かりとなることなく、機動性に優れ、高所作業でも安全な排水孔の掘削装置を提供する。【解決手段】ハンディタイプの電動振動ドリルまたは電動ハンマードリルによる駆動装置１３と、駆動装置１３で回転させる掘削軸体１４とからなり、掘削軸体は円形パイプを断面楕円に扁平変形させた拡径部１６を有し、先端を円形パイプを平板状に潰して捻りを入れ、かつ、先を尖がらせた掘削ヘッド１８とした。【選択図】図１
0003210662.tif 000002
【実用新案登録請求の範囲】
【請求項１】
ハンディタイプの電動振動ドリルまたは電動ハンマードリルによる駆動装置と、この駆動装置で回転させる掘削軸体とからなり、掘削軸体は円形パイプを断面楕円に扁平変形させた拡径部を有し、先端を円形パイプを平板状に潰して捻りを入れ、かつ、先を尖がらせた掘削ヘッドとしたことを特徴とする排水孔の掘削装置。
【請求項２】
掘削軸体と掘削ヘッドとは１本の円形パイプを加工して作製し、一体化してなる請求項１記載の排水孔の掘削装置。
【請求項３】
先を尖がらせた部分には金属を溶接して肉盛した硬質部分を設ける請求項１または請求項２記載の排水孔の掘削装置。
【考案の詳細な説明】
【技術分野】
【０００１】
本考案は、排水パイプなどの排水孔の再生用もしくは新設用の簡易な掘削装置に関するものである。
【背景技術】
【０００２】
現在わが国では、気候変動に関連して１時間に降水量が50mm以上となるような“非常に激しい雨”が増加する傾向にあり、この結果として土砂災害の発生件数も増加する傾向にある。このような気候変動は降雪地域にも見られ、融雪期に土砂災害が増加する傾向にある。
【０００３】
図５は豪雨により表流水の増大や集中を示したものであり、地下水位の上昇や間隙水圧の上昇を招き、これが盛土法面や斜面の安定性を低下させる。
【０００４】
このため、排水工を整備することが定められているが、法整備以前の盛土等では、排水工が整備されていなかったり、排水工が整備されていたとしても機能低下している場合があり、これらが災害発生の一因となっている。
【０００５】
また、盛土内に地下水が長期間滞留することは、盛土材の劣化を招き、地震や豪雨時の盛土の安定性低下を助長する可能性が有ることが指摘されている。
【０００６】
降雨や融雪水を盛土や斜面内部から速やかに排出するために、法面・斜面に排水材・排水パイプを挿入・打設する対策手法がとられてきた。
【０００７】
下記特許文献１は鉄道の路盤斜面へ水抜パイプを打込む装置に関するものであり、路盤斜面へ上向きにレールを仮設し、バイブレータを搭載した台車を移送可能にし、バイブレータ先端には水抜パイプを接続する。
【特許文献１】特開平５−１７９３３号公報
【０００８】
また、下記特許文献２には、図６に示すように、本体１２が無限帯による走行を行うクローラ１１を介して移動可能になっているボーリング装置１０が示されている。
【特許文献２】特開２００７−３２７２９７号公報
【考案の概要】
【考案が解決しようとする課題】
【０００９】
前記特許文献１や特許文献２でもそうであるが、路盤斜面へ上向きにレールを仮設し、台車や打込み装置を移送可能にするなど装置が大掛かりなものである。
【００１０】
なお、鋼管に複数の孔を穿ち、先端はつぶして平坦部とした水抜パイプを排水材として設置する場合に作業者がハンマを大きく振り回して尾部を叩くか、或いはロープで仮設枠に懸垂する打撃棒を寺の鐘つき状に操作する方法がとられたが作業性の悪いものである。
【００１１】
図４に示すように擁壁１などでは裏側に栗石・砕石３による透水層２が設けられることもあり、既存の排水パイプ４が土砂の流入等で目詰まりをした場合にこれら栗石・砕石３があることで掘削の障害となるおそれもある。排水パイプ４には塩ビ管が使用されることが多い。
【００１２】
本考案の目的は前記従来例の不都合を解消し、無振動、無騒音、無排土で施工ができ、栗石・砕石による透水層があっても確実に掘削でき、しかも、ハンディタイプを原則とするので、装置が大掛かりとなることなく、機動性に優れ、高所作業でも安全である排水孔の掘削装置を提供することにある。
【課題を解決するための手段】
【００１３】
前記目的を達成するため請求項１記載の本考案は、ハンディタイプの電動振動ドリルまたは電動ハンマードリルによる駆動装置と、この駆動装置で回転させる掘削軸体とからなり、掘削軸体は円形パイプを断面楕円に扁平変形させた拡径部を有し、先端を円形パイプを平板状に潰して捻りを入れ、かつ、先を尖がらせた掘削ヘッドとしたことを要旨とするものである。
【００１４】
請求項１記載の本考案によれば、先端の掘削ヘッドは円形パイプを平板状に潰して捻りを入れてあるのでこの部分でのスクリュー部のスクリュー作用での推進力が得られ、かつ、先を尖がらせた部分で掘削することができる。
【００１５】
また、掘削軸体は円形パイプを断面楕円に扁平変形させた拡径部を有するので、この部分が回転することで真円部分に比べて拡径掘削ができ、栗石・砕石による透水層に対しても石を押し退けながら掘削を進めることができる。
【００１６】
さらに、駆動装置は電動振動ドリルまたは電動ハンマードリルによるハンディタイプのものであり、設置架台やレール等が不要で、操作が簡単で、運搬等機動性にもすぐれる。充電タイプのコードレスのものも使用できる。
【００１７】
請求項２記載の本考案は、掘削軸体と掘削ヘッドとは１本の円形パイプを加工して作製し、一体化してなることを要旨とするものである。
【００１８】
請求項２記載の本考案によれば、１本の円形パイプを加工して製作できるもので、掘削軸体の拡径部は断面楕円に扁平変形させてなり、捻り部分は平板状に潰して捻りを入れたものであり、また、尖がらせた先は平板状に潰してこれを尖らせてもので、これらは連続して一体化する。
【００１９】
請求項３記載の本考案は、先を尖がらせた部分には金属を溶接して肉盛した硬質部分を設けることを要旨とするものである。
【００２０】
請求項３記載の本考案によれば、先を尖がらせた部分は属を溶接して肉盛した硬質部分を設けることで切削チップとして形成できる。
【考案の効果】
【００２１】
以上述べたように本考案の排水孔の掘削装置は、無振動、無騒音、無排土で施工ができ、栗石・砕石による透水層があっても確実に掘削でき、しかも、ハンディタイプを原則とするので、装置が大掛かりとなることなく、機動性に優れ、高所作業でも安全なものである。
【考案を実施するための形態】
【００２２】
以下、図面について本考案の実施の形態を詳細に説明する。図１は本考案の排水孔の掘削装置の１実施形態を示す側面図で、ハンディタイプの電動振動ドリルまたは電動ハンマードリルによる駆動装置１３と、この駆動装置１３で回転させる掘削軸体１４とからなる。
【００２３】
この駆動装置１３には市販のコード付きＡＣ電源の電気ドリルまたは充電式の二次電池（バッテリー）を使用したコードレスドリルを使用することができる。
【００２４】
掘削軸体１４は、円形パイプを図２に示すように断面楕円に扁平変形させた拡径部１６を円形部分１５の先に有する。
【００２５】
この拡径部１６の先は円形パイプを平板状に潰して捻りを入れたスクリュー部１７であり、さらにその先を矢じり状に尖がらせて三角形の掘削ヘッド１８とした。
【００２６】
該掘削ヘッド１８には金属を溶接して肉盛した硬質部分１９を設けた。図示の例では硬質部分１９は十字に形成した。
【００２７】
これら掘削軸体１４とスクリュー部１７および掘削ヘッド１８とは１本の円形パイプを加工して作製してなるものであり、全体が一体化してなる。全長は１ｍ程度のものである。
【００２８】
なお、図示は省略するが、掘削軸体１４の端部には駆動装置１３へのチャック部を形成するか、接続のための継手を嵌めている。
【００２９】
次に使用法について説明すると、図４に示した既存の排水パイプ４が土砂の流入等で目詰まりをした場合にこれを再生するために、本考案装置を使用できる。
【００３０】
駆動装置１３に掘削軸体１４を装着し、この掘削軸体１４を排水パイプ４内に差し入れ、駆動装置１３で回転させる。
【００３１】
先端の掘削ヘッド１８で排水パイプ４が土砂を排除しながら押し進め、さらに排水パイプ４の先の透水層２の栗石・砕石３をかき分けながら掘り進めることができる。図中αは掘削線を示す。
【００３２】
また、掘削終了後、抜き去るには駆動装置１３を逆転させ、掘削軸体１４を反転させて行なうことができる。
【００３３】
このようにして掘削した排水パイプ４の孔には、排水材を設置すると、以後の目詰まりを防止することができる。
【００３４】
図３は排水材の一例を示すもので筒状排水材６は、排水管７を、不織布フィルタ８およびジオテキスタイルネット９で覆ったもので、ジオテキスタイルネット９によるフィルタ防護ネットにより、施工中にフィルタが破損することを防止している。
【００３５】
また、排水管７には高密度ポリエチレンを材質として、網状開口部７ａ（開口率７〜１５％）と無開口部分７ｂを有するもので、大日本プラスチック株式会社の商品名ネトロンパイプ（登録商標）が好適である。
【００３６】
不織布フィルタ８は、その厚みが例えば１ｍｍ、２ｍｍ程度の不織布であり、熱可塑性樹脂製（ポリエステル、ポリプロピレン等製）である。
【００３７】
ジオテキスタイルネット９は、ジオグリッドには延伸ポリプロピレンテープ製の芯材に、エチレン・酢酸ビニル共重合樹脂を被覆した帯体を格子状に織り、交点を加熱融着により一体化した構造のセルフォース（旭化成工業株式会社の登録商標名）が好適であり、補強材として必要な引張強度特性、クリープ特性、耐衝撃性、耐久性、土との摩擦特性、耐薬品性に優れている。
【００３８】
セルフォースは、特に、耐衝撃性においては盛土材料が岩ずりでも、敷き均し転圧時の損傷による強度低下が小さく（強度保持率９４％以上）、安全性の高い土構造物が構築できるものであり、クリープ低減係数が大きく（０．６５）、本考案においてこのようなジオテキスタイルネット９で不織布フィルタ８を外側から被覆保護した。ジオテキスタイルネット９の固定はクリップ止もしくは接着により行う。
【００３９】
排水材はこれを構成する合成樹脂製排水パイプは周壁に多数の透水孔が形成されて内外が連通された有孔管材によるものなので、ここから水を取り込むことができる。そして、透水孔を覆う不織布フィルタによって土砂が透水孔に流入するのをブロックすることができる。
【００４０】
また、透水性フィルタが外周側に配置されると、透水性フィルタは土や砂等に直接接することもあるが、その上をジオテキスタイルのネットで押えることで防護し、透水性フィルタが破損することを効果的に防止することができる。
【００４１】
既設の排水パイプ４の中に筒状排水材６を差し入れ、既設の排水パイプ４の先から排水材６が出るようにして設置する。
【００４２】
既設の排水パイプ４の先から出た排水材６の部分が集水部として機能する。
【００４３】
以上の実施形態は既設の排水パイプ４が設置されている場合の再生の場合について説明したが、本考案の掘削装置はこのような既設の排水パイプ４がない場合例えば新設の排水管を設置する場合なのでの排水孔の施工にも適用できる。
【図面の簡単な説明】
【００４４】
【図１】本考案の排水孔の掘削装置の１実施形態を示す側面図である。
【図２】掘削軸体の説明図である。
【図３】排水材の説明図である。
【図４】擁壁の縦断側面図である。
【図５】水の流れの説明図である。
【図６】従来例を示す側面図である。
【符号の説明】
【００４５】
１…擁壁                      ２…透水層
３…栗石・砕石                ４…排水パイプ
６…排水材                    ７…配水管
７ａ…網状開口部              ７ｂ…無開口部分
８…不織布フィルタ            ９…ジオテキスタイルネット
１０…ボーリング装置          １１…クローラ
１２…本体
１３…駆動装置                １４…掘削軸体
１５…円形部分                １６…拡径部
１７…スクリュー部            １８…掘削ヘッド
１９…硬質部分
【図１】
0003210662.tif 000003
【図２】
0003210662.tif 000004
【図３】
0003210662.tif 000005
【図４】
0003210662.tif 000006
【図５】
0003210662.tif 000007
【図６】
0003210662.tif 000008